(57)【要約】【課題】軽量、かつ、安価に製造することのできる伸縮電線を提供する。【解決手段】帯状に形成されたフィルム状の絶縁基材３１の裏面に長手方向へ金属箔を貼り合わせて絶縁基材２１の内側に金属箔を位置させたフィルム導体３５を、伸縮性を有する絶縁心材２１の外周に間隔を空けて螺旋状に巻き付けて伸縮性を有する絶縁層５１で被覆して伸縮電線１１とする。【選択図】図１
2010198914.tif 000002
【特許請求の範囲】
【請求項１】
帯状に形成されたフィルム状の絶縁基材の表面または裏面に長手方向へ金属箔を貼り合わせたフィルム導体を、伸縮性を有する絶縁心材の外周に間隔を空けて螺旋状に巻き付けて伸縮性を有する絶縁層で被覆した、
ことを特徴とする伸縮電線。
【請求項２】
帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けて伸縮性を有する絶縁層で被覆した、
ことを特徴とする伸縮電線。
【請求項３】
帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けた伸縮導体を平面状に並列に並べて伸縮性を有する絶縁層で被覆した、
ことを特徴とする伸縮電線。
【請求項４】
帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けた複数の伸縮導体を撚り合わせて伸縮性を有する絶縁層で被覆した、
ことを特徴とする伸縮電線。
【請求項５】
請求項１から請求項４のいずれか１項に記載の伸縮電線において、
前記絶縁基材の表面または裏面に長手方向へ前記金属箔の回路を複数設けた、
ことを特徴とする伸縮電線。
【請求項６】
帯状に形成されたフィルム状の絶縁基材の表面または裏面に長手方向へ金属箔を貼り合わせた複数のフィルム導体を、伸縮性を有する絶縁心材の外周に間隔を空けて螺旋状に巻き付けて伸縮性を有する絶縁層で被覆した、
ことを特徴とする伸縮電線。
【請求項７】
帯状に形成されたフィルム状の絶縁基材の表面または裏面に長手方向へ金属箔を貼り合わせた複数のフィルム導体を前記金属箔が互いに接触しないように重ねて貼り合わせた積層フィルム導体を、伸縮性を有する絶縁心材の外周に間隔を空けて螺旋状に巻き付けて伸縮性を有する絶縁層で被覆した、
ことを特徴とする伸縮電線。
【請求項８】
帯状に形成されたフィルム状の絶縁基材の表面または裏面の長手方向に金属箔を貼り合わせた複数のフィルム導体を前記金属箔が互いに接触しないように重ねて貼り合わせた複数の積層フィルム導体を、伸縮性を有する絶縁心材の外周に間隔を空けて螺旋状に巻き付けて伸縮性を有する絶縁層で被覆した、
ことを特徴とする伸縮電線。
【発明の詳細な説明】
【技術分野】
【０００１】
この発明は、多様化した電子機器、ロボットなどの配線材として使用可能な伸縮電線に関するものである。
【背景技術】
【０００２】
電線の導体は、通常、銅などの金属材料で直線状に構成されているため、電線に伸縮性を持たせることが難しかった。そこで、電線を電話機などで使用されているカールコードとすることにより、電線に伸縮性を持たせている。また、伸縮性を有する心材の外周に、導電性繊維を螺旋状に巻き付けた構成とすることにより、電線に伸縮性を持たせている（例えば、特許文献１参照。）。
【先行技術文献】
【特許文献】
【０００３】
【特許文献１】特開平９−２８８９１２号公報
【発明の概要】
【発明が解決しようとする課題】
【０００４】
しかしながら、カールコードは、電線をコイル状に巻き付けることによって伸縮性を持たせているので、外形が本来の電線の２倍以上になったり、重量が重くなることにより、電子機器などの小型化、軽量化に適応できないものとなる。また、伸縮性を有する心材の外周に導電性繊維を螺旋状に巻き付けた電線は、ナイロン繊維またはポリエステル繊維に銅や銀のメッキを施して導電性繊維とするので、高価な電線となる。
【０００５】
この発明は、上記したような不都合を解消するためになされたもので、軽量、かつ、安価に製造することのできる伸縮電線を提供するものである。
【課題を解決するための手段】
【０００６】
請求項１に記載の発明は、帯状に形成されたフィルム状の絶縁基材の表面または裏面に長手方向へ金属箔を貼り合わせたフィルム導体を、伸縮性を有する絶縁心材の外周に間隔を空けて螺旋状に巻き付けて伸縮性を有する絶縁層で被覆したことを特徴とする伸縮電線である。
【０００７】
請求項２に記載の発明は、帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けて伸縮性を有する絶縁層で被覆したことを特徴とする伸縮電線である。
【０００８】
請求項３に記載の発明は、帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けた伸縮導体を平面状に並列に並べて伸縮性を有する絶縁層で被覆したことを特徴とする伸縮電線である。
【０００９】
請求項４に記載の発明は、帯状に形成されたフィルム状の絶縁基材の表面または裏面に長手方向へ金属箔を貼り合わせて前記絶縁基材の内側に前記金属箔を位置させたフィルム導体を、伸縮性を有する絶縁心材の外周に間隔を空けて螺旋状に巻き付けた複数の伸縮導体を撚り合わせて伸縮性を有する絶縁層で被覆したことを特徴とする伸縮電線である。
【００１０】
請求項５に記載の発明は、請求項１から請求項４のいずれか１項に記載の伸縮電線において、前記絶縁基材の表面または裏面に長手方向へ前記金属箔の回路を複数設けたことを特徴とする。
【００１１】
請求項６に記載の発明は、帯状に形成されたフィルム状の絶縁基材の表面または裏面に長手方向へ金属箔を貼り合わせた複数のフィルム導体を、伸縮性を有する絶縁心材の外周に間隔を空けて螺旋状に巻き付けて伸縮性を有する絶縁層で被覆したことを特徴とする伸縮電線である。
【００１２】
請求項７に記載の発明は、帯状に形成されたフィルム状の絶縁基材の表面または裏面に長手方向へ金属箔を貼り合わせた複数のフィルム導体を前記金属箔が互いに接触しないように重ねて貼り合わせた積層フィルム導体を、伸縮性を有する絶縁心材の外周に間隔を空けて螺旋状に巻き付けて伸縮性を有する絶縁層で被覆したことを特徴とする伸縮電線である。
【００１３】
請求項８に記載の発明は、帯状に形成されたフィルム状の絶縁基材の表面または裏面に長手方向へ金属箔を貼り合わせた複数のフィルム導体を前記金属箔が互いに接触しないように重ねて貼り合わせた複数の積層フィルム導体を、伸縮性を有する絶縁心材の外周に間隔を空けて螺旋状に巻き付けて伸縮性を有する絶縁層で被覆したことを特徴とする伸縮電線である。
【発明の効果】
【００１４】
この発明によれば、伸縮性を有する絶縁心材の外周にフィルム導体または積層フィルム導体を間隔を空けて螺旋状に巻き付けて伸縮性を有する絶縁層で被覆して伸縮電線としたので、伸縮電線を軽量に製造することができる。そして、フィルム導体または積層フィルム導体として、フィルム状の絶縁基材の表面または裏面に金属箔を貼り合わせた一般材料を使用できるので、伸縮電線を安価に製造することができる。さらに、絶縁心材の外周に、絶縁基材の内側に金属箔を位置させたフィルム導体または積層フィルム導体を巻き付けたので、絶縁層を剥がす場合、金属箔が損傷しにくくなる。そして、絶縁基材の表面または裏面に金属箔の回路を複数設けたので、多心の伸縮電線を容易に製作することができる。
【図面の簡単な説明】
【００１５】
【図１】この発明の第１実施例である伸縮電線の一部を露出させた正面図である。
【図２】図１のＡ−Ａ線による拡大断面図である。
【図３】この発明の第２実施例である伸縮電線の拡大断面図である。
【図４】この発明の第３実施例である伸縮電線の拡大断面図である。
【図５】この発明の第４実施例である伸縮ケーブルの拡大断面図である。
【図６】この発明の第５実施例である伸縮ケーブルの拡大断面図である。
【図７】この発明の第６実施例である伸縮電線の一部を露出させた正面図である。
【図８】図７のＢ−Ｂ線による拡大断面図である。
【図９】この発明の第７実施例である伸縮電線の拡大断面図である。
【図１０】この発明の第８実施例である伸縮電線の拡大断面図である。
【図１１】この発明の第９実施例である伸縮ケーブルの拡大断面図である。
【図１２】この発明の第１０実施例である伸縮ケーブルの拡大断面図である。
【図１３】（ａ），（ｂ）はこの発明の他の実施例で使用する積層フィルム導体の構成を示す平面図と側面図に相当する説明図である。
【図１４】（ａ），（ｂ）はこの発明のさらに他の実施例で使用するフィルム導体の構成を示す平面図と側面図に相当する説明図である。
【発明を実施するための形態】
【００１６】
以下、この発明の実施例を図面を参照して説明する。
【００１７】
図１はこの発明の第１実施例である伸縮電線の一部を露出させた正面図、図２は図１のＡ−Ａ線による拡大断面図である。
【００１８】
図１において、伸縮電線１１は、伸縮性および絶縁性を有する、例えば、シリコーンゴムまたはブチルゴムで円柱状に形成された絶縁心材２１と、この絶縁心材２１の外周に重ならないように間隔を空けたピッチＰで螺旋状に巻き付けたフィルム導体３５と、このフィルム導体３５を巻き付けた絶縁心材２１の外周に被覆させた伸縮性および絶縁性を有する、例えば、シリコーンゴムまたはブチルゴムの絶縁層５１とで構成されている。
【００１９】
上記したフィルム導体３５は、図１および図２に示すように、例えば、ＰＥＴ（ポリエチレンテレフタレート）で所定の厚さ、所定の幅Ｗの帯状に形成されたフィルム状の絶縁基材３１と、この絶縁基材３１の裏面に長手方向へ貼り合わせた、例えば、幅Ｗまたは幅Ｗよりも少し狭い幅の金属箔３３とで構成され、絶縁基材３１の内側（内周）に金属箔３３を位置させて絶縁心材２１の外周に巻き付けられている。
【００２０】
なお、フィルム導体３５を絶縁心材２１の外周に重ならないように間隔を空けて螺旋状に巻き付けるためには、図１に示すように、絶縁心材２１の直径をＤ、フィルム導体３５の幅をＷ、フィルム導体３５を絶縁心材２１に巻き付けるピッチをＰとすると、Ｗ＜πＤ、Ｐ＞２Ｗにする必要がある。そして、フィルム導体３５と絶縁層５１との間、および、絶縁層５１と絶縁心材２１との間が接着、密着となるが、絶縁心材２１とフィルム導体３５との間を全長または部分的に非接着、非密着とすることにより、伸縮電線１１が伸縮するとき、絶縁心材２１に対してフィルム導体３５が滑動できるようになされている。
【００２１】
このように構成された伸縮電線１１に引っ張る外力が加わると、絶縁心材２１および絶縁層５１は細くまたは薄くなりながら伸び、フィルム導体３５は、絶縁心材２１が細くなることによって自身も細径になって伸びるとともに、絶縁心材２１に対して滑動するので、伸縮電線１１は伸びることができる。そして、伸縮電線１１に加えられた外力が除かれると、絶縁心材２１および絶縁層５１は自身の弾性によって太くまたは厚くなりながら元の長さに縮み、フィルム導体３５は、絶縁心材２１が太くなることによって自身も太径になって縮むとともに、絶縁心材２１に対して滑動するので、伸縮電線１１は縮むことができる。
【００２２】
上述したように、この発明の第１実施例によれば、伸縮性を有する絶縁心材２１の外周にフィルム導体３５を間隔を空けて螺旋状に巻き付けて伸縮性を有する絶縁層５１で被覆して伸縮電線１１としたので、伸縮電線１１を軽量に製造することができる。また、絶縁心材２１の外周に、絶縁基材３１の内側に金属箔３３を位置させてフィルム導体３５を巻き付けたので、絶縁層５１を剥がす場合、金属箔３３が損傷しにくくなる。そして、フィルム導体３５として、フィルム状の絶縁基材３１の裏面に長手方向へ金属箔３３を貼り合わせた一般材料を使用できるので、伸縮電線１１を安価に製造することができる。さらに、絶縁心材２１に対してフィルム導体３５が滑動可能であるので、絶縁心材２１は弾性限界まで伸縮が可能となり、フィルム導体３５はその幅、巻き付けピッチに応じた伸縮が可能となるため、より伸縮性を発揮することのできる伸縮電線１１となる。
【００２３】
図３はこの発明の第２実施例である伸縮電線の拡大断面図であり、図１および図２と同一または相当部分に同一符号を付し、その説明を省略する。
【００２４】
図３において、伸縮電線１１Ａは、平面状に並列に複数、例えば、３本並べた伸縮導体４１と、この伸縮導体４１の外周に被覆させた絶縁層５１とで構成されている。
【００２５】
上記した伸縮導体４１は、円柱状に形成された絶縁心材２１と、この絶縁心材２１の外周に重ならないように間隔を空けたピッチで螺旋状に巻き付けたフィルム導体３５とで構成されている。
【００２６】
このように構成された第２実施例の伸縮電線１１Ａは、第１実施例の伸縮電線１１と同様に伸縮することができる。そして、第２実施例の伸縮電線１１Ａにおいても、第１実施例の伸縮電線１１と同様な効果を得ることができる。
【００２７】
図４はこの発明の第３実施例である伸縮電線の拡大断面図であり、図１〜図３と同一または相当部分に同一符号を付し、その説明を省略する。
【００２８】
図４において、伸縮電線１１Ｂは、複数、例えば、３本の伸縮導体４１を撚り合わせた撚り伸縮導体４２と、この撚り伸縮導体４２の外周に被覆させた絶縁層５１とで構成されている。
【００２９】
このように構成された第３実施例の伸縮電線１１Ｂは、第１実施例の伸縮電線１１と同様に伸縮することができる。そして、第３実施例の伸縮電線１１Ｂにおいても、第１実施例の伸縮電線１１と同様な効果を得ることができる。
【００３０】
図５はこの発明の第４実施例である伸縮ケーブルの拡大断面図であり、図１〜図４と同一または相当部分に同一符号を付し、その説明を省略する。
【００３１】
図５において、伸縮ケーブル１５は、平面状に並列に複数、例えば、３本並べた伸縮電線１１と、この伸縮電線１１の外周に被覆させた伸縮性および絶縁性を有する、例えば、シリコーンゴムまたはブチルゴムの外側絶縁層５３とで構成されている。
【００３２】
このように構成された第４実施例の伸縮ケーブル１５は、第１実施例の伸縮電線１１と同様に伸縮することができる。そして、第４実施例の伸縮ケーブル１５においても、第１実施例の伸縮電線１１と同様な効果を得ることができる。
【００３３】
図６はこの発明の第５実施例である伸縮ケーブルの拡大断面図であり、図１〜図５と同一または相当部分に同一符号を付し、その説明を省略する。
【００３４】
図６において、伸縮ケーブル１５Ａは、複数、例えば、３本の伸縮電線１１を撚り合わせた撚り伸縮電線１３と、この撚り伸縮電線１３の外周に被覆させた外側絶縁層５３とで構成されている。
【００３５】
このように構成された第５実施例の伸縮ケーブル１５Ａは、第１実施例の伸縮電線１１と同様に伸縮することができる。そして、第５実施例の伸縮ケーブル１５Ａにおいても、第１実施例の伸縮電線１１と同様な効果を得ることができる。
【００３６】
図７はこの発明の第６実施例である伸縮電線の一部を露出させた正面図、図８は図７のＢ−Ｂ線による拡大断面図であり、図１〜図６と同一または相当部分に同一符号を付し、その説明を省略する。
【００３７】
この第６実施例の伸縮電線１１Ｃが図１、図２に示した第１実施例の伸縮電線１１と異なるところは、第１実施例の伸縮電線１１は１枚のフィルム導体３５を絶縁心材２１の外周に重ならないように間隔を空けたピッチＰで螺旋状に巻き付けているが、第６実施例の伸縮電線１１Ｃは複数枚、例えば、２枚のフィルム導体３５を絶縁心材２１の外周に重ならないように間隔を空けたピッチＰで螺旋状に巻き付けている点である。なお、第６実施例の伸縮電線１１Ｃの他の構成は、第１実施例の伸縮電線１１と同じである。
【００３８】
したがって、第６実施例の伸縮電線１１Ｃは第１実施例の伸縮電線１１と同様に伸縮することができる。そして、第６実施例の伸縮電線１１Ｃにおいても、第１実施例の伸縮電線１１と同様な効果を得ることができる。
【００３９】
図９はこの発明の第７実施例である伸縮電線の拡大断面図であり、図１〜図８と同一または相当部分に同一符号を付し、その説明を省略する。
【００４０】
この第７実施例の伸縮電線１１Ｄが図３に示した第２実施例の伸縮電線１１Ａと異なるところは、第２実施例の伸縮電線１１Ａは１枚のフィルム導体３５を絶縁心材２１の外周に重ならないように間隔を空けたピッチで螺旋状に巻き付けた伸縮導体４１を平面状に並列に並べているが、第７実施例の伸縮電線１１Ｄは、図７、図８示すように、複数枚、例えば、２枚のフィルム導体３５を絶縁心材２１の外周に重ならないように間隔を空けたピッチＰで螺旋状に巻き付けた伸縮導体４１Ａを平面状に並列に複数、例えば、３本並べている点である。なお、第７実施例の伸縮電線１１Ｄの他の構成は、第２実施例の伸縮電線１１Ａと同じである。
【００４１】
したがって、第７実施例の伸縮電線１１Ｄは第２実施例の伸縮電線１１Ａと同様に伸縮することができる。そして、第７実施例の伸縮電線１１Ｄにおいても、第２実施例の伸縮電線１１Ａと同様な効果を得ることができる。
【００４２】
図１０はこの発明の第８実施例である伸縮電線の拡大断面図であり、図１〜図９と同一または相当部分に同一符号を付し、その説明を省略する。
【００４３】
この第８実施例の伸縮電線１１Ｅが図４に示した第３実施例の伸縮電線１１Ｂと異なるところは、第３実施例の伸縮電線１１Ｂは３本の伸縮導体４１を撚り合わせて撚り伸縮導体４２としているが、第８実施例の伸縮電線１１Ｅは、図７、図８示すように、複数枚、例えば、２枚のフィルム導体３５を絶縁心材２１の外周に重ならないように間隔を空けたピッチＰで螺旋状に巻き付けた伸縮導体４１Ａを複数、例えば、３本撚り合わせて撚り伸縮導体４２Ａとしている点である。なお、第８実施例の伸縮電線１１Ｅの他の構成は、第３実施例の伸縮電線１１Ｂと同じである。
【００４４】
したがって、第８実施例の伸縮電線１１Ｅは第３実施例の伸縮電線１１Ｂと同様に伸縮することができる。そして、第８実施例の伸縮電線１１Ｅにおいても、第３実施例の伸縮電線１１Ｂと同様な効果を得ることができる。
【００４５】
図１１はこの発明の第９実施例である伸縮ケーブルの拡大断面図であり、図１〜図１０と同一または相当部分に同一符号を付し、その説明を省略する。
【００４６】
この第９実施例の伸縮ケーブル１５Ｂが図５に示した第４実施例の伸縮ケーブル１５と異なるところは、第４実施例の伸縮ケーブル１５は図１、図２に示した第１実施例の伸縮電線１１を平面状に並列に並べて外側絶縁層５３で被覆しているが、第９実施例の伸縮ケーブル１５Ｂは図７、図８に示した第６実施例の伸縮電線１１Ｃを平面状に並列に複数、例えば、３本並べて外側絶縁層５３で被覆した点である。
【００４７】
したがって、第９実施例の伸縮ケーブル１５Ｂは第４実施例の伸縮ケーブル１５と同様に伸縮することができる。そして、第９実施例の伸縮ケーブル１５Ｂにおいても、第４実施例の伸縮ケーブル１５と同様な効果を得ることができる。
【００４８】
図１２はこの発明の第１０実施例である伸縮ケーブルの拡大断面図であり、図１〜図１１と同一または相当部分に同一符号を付し、その説明を省略する。
【００４９】
この第１０実施例の伸縮ケーブル１５Ｃが図６に示した第５実施例の伸縮ケーブル１５Ａと異なるところは、第５実施例の伸縮ケーブル１５Ａは図１、図２に示した第１実施例の伸縮電線１１を撚り合わせて外側絶縁被覆５３で被覆しているが、第１０実施例の伸縮ケーブル１５Ｃは図７、図８に示した第６実施例の伸縮電線１１Ｃを複数、例えば、３本撚り合わせた撚り伸縮電線１３Ａを外側絶縁層５３で被覆した点である。
【００５０】
したがって、第１０実施例の伸縮ケーブル１５Ｃは第５実施例の伸縮ケーブル１５Ａと同様に伸縮することができる。そして、第１０実施例の伸縮ケーブル１５Ｃにおいても、第５実施例の伸縮ケーブル１５Ａと同様な効果を得ることができる。
【００５１】
図１３（ａ），（ｂ）はこの発明の他の実施例で使用する積層フィルム導体の構成を示す平面図と側面図に相当する説明図であり、図１〜図１２と同一または相当部分に同一符号が付してある。
【００５２】
図１３において、積層フィルム導体３７は、絶縁基材３１を金属箔３３の左側に位置させたフィルム導体３５を複数、例えば、２枚貼り合わせて積層したものである。
【００５３】
第１実施例〜第１０実施例に示した伸縮電線１１，１１Ａ〜１１Ｅまたは伸縮ケーブル１５，１５Ａ〜１５Ｃを構成するフィルム導体３５に代えて積層フィルム導体３７を使用することにより、対応する実施例と同様な効果の得られる多心の伸縮電線または多心の伸縮ケーブルとすることができる。なお、フィルム導体３５に代えて積層フィルム導体３７を使用する場合、最外側の絶縁基材３１の内側（内周）に最外側に金属箔３３を位置させた状態の積層フィルム導体３７を、伸縮性を有する絶縁心材の外周に間隔を空けて螺旋状に巻き付ける。そして、積層フィルム導体３７と絶縁層との間、および、絶縁層と絶縁心材との間が接着、密着となるが、絶縁心材と積層フィルム導体３７との間を全長または部分的に非接着、非密着とすることにより、伸縮電線または伸縮ケーブルが伸縮するとき、絶縁心材に対して積層フィルム導体が滑動できるようになされている。
【００５４】
図１４（ａ），（ｂ）はこの発明のさらに他の実施例で使用するフィルム導体の構成を示す平面図と側面図に相当する説明図であり、図１〜図１３と同一または相当部分に同一符号が付してある。
【００５５】
図１４において、フィルム導体３５Ａは、帯状に形成されたフィルム状の絶縁基材３１と、この絶縁基材１の表面に長手方向へ平行に貼り合わせた複数、例えば、２つ（枚）の回路を構成する金属箔３３とで構成されている。
【００５６】
第１実施例〜第１０実施例に示した伸縮電線１１，１１Ａ〜１１Ｅまたは伸縮ケーブル１５，１５Ａ〜１５Ｃを構成するフィルム導体３５に代えてフィルム導体３５Ａを使用することにより、または、先に説明した積層フィルム導体３７に代えてフィルム導体３５Ａを使用することにより、対応する実施例と同様な効果の得られる多心の伸縮電線または多心の伸縮ケーブルを容易に製作することができる。
【００５７】
上記した第１実施例〜第１０実施例では、絶縁心材２１の外周に、絶縁基材３１の内側（内周）に金属箔３３を位置させてフィルム導体３５を螺旋状に巻き付けた例を示し、さらに、フィルム導体３５に代えて積層フィルム導体３７を使用する例を説明したが、絶縁心材２１の外周に、絶縁基材３１の外側（外周）に金属箔３３を位置させてフィルム導体３５または積層フィルム導体３７を螺旋状に巻き付けてもよい。なお、導体の確実な絶縁を確保する場合、第２実施例、第３実施例、第７実施例、第８実施例においてフィルム導体３５に代えて積層フィルム導体３７を使用するときは、絶縁基材３１の内側（内周）に金属箔３３を位置させるのが望ましい。また、絶縁基材３１の表面に金属箔３３を貼り合わせたり、絶縁基材３１の裏面に金属箔３３を貼り合わせた例を示したが、金属箔３３は絶縁基材３１の表面または裏面にその長手方向へ貼り合わせればよい。
【符号の説明】
【００５８】
１１    伸縮電線
１１Ａ  伸縮電線
１１Ｂ  伸縮電線
１１Ｃ  伸縮電線
１１Ｄ  伸縮電線
１１Ｅ  伸縮電線
１３    撚り伸縮電線
１３Ａ  撚り伸縮電線
１５    伸縮ケーブル
１５Ａ  伸縮ケーブル
１５Ｂ  伸縮ケーブル
１５Ｃ  伸縮ケーブル
２１    絶縁心材
３１    絶縁基材
３３    金属箔
３５    フィルム導体
３５Ａ  フィルム導体
３７    積層フィルム導体
４１    伸縮導体
４１Ａ  撚り伸縮導体
４２    撚り伸縮導体
４２Ａ  伸縮導体
５１    絶縁層
５３    外側絶縁層
Ｄ      絶縁心材の直径
Ｐ      フィルム導体または積層フィルム導体を絶縁心材に巻き付けるピッチ
Ｗ      フィルム導体または積層フィルム導体の幅
【図１】
2010198914.tif 000003
【図２】
2010198914.tif 000004
【図３】
2010198914.tif 000005
【図４】
2010198914.tif 000006
【図５】
2010198914.tif 000007
【図６】
2010198914.tif 000008
【図７】
2010198914.tif 000009
【図８】
2010198914.tif 000010
【図９】
2010198914.tif 000011
【図１０】
2010198914.tif 000012
【図１１】
2010198914.tif 000013
【図１２】
2010198914.tif 000014
【図１３】
2010198914.tif 000015
【図１４】
2010198914.tif 000016